(57)【特許請求の範囲】
【請求項１】
始動口や障害釘が配設される遊技領域が形成された遊技盤と、
前記遊技盤を内側面に保持する内枠と、
前記内枠の左上方側及び右上方側に設けられ、音声を出力する音声出力部と、
前記遊技領域に対応して形成された開口部を有し、前記内枠に対して開閉可能に軸支された前面扉と、
前記開口部に対応して、前記前面扉の裏面に取り付けられたガラス板と、
前記前面扉の左上方側及び右上方側であって、前記前面扉が前記内枠に対して閉じられたときに前記音声出力部と対向する位置に設けられ、前記音声出力部から出力された音声を前記前面扉の外部に導く導音部と、
を有するパチンコ機であって、
前記導音部は、円同状の導音部本体と、前記導音部本体に形成された複数のスリットと、で構成され、
前記音声出力部の周縁には、前記前面扉の側に突出する突出部が設けられ、
前記前面扉の前記内枠の側に位置する内側面であって、前記導音部本体の周縁には、弾性部が接着され、
前記突出部の前記弾性部と接触する部位には、環状の凸部が形成され、
前記突出部が前記内枠に対して閉じられたときに、前記突出部と前記弾性部とが所定の圧力で接触して密接状態となると共に、前記弾性部と前記凸部との接触部においては他の接触部よりも圧力が高くなることを特徴とするパチンコ機。
【請求項２】
前記弾性部は、前記突出部よりも径方向に長くなるように形成され、
前記突出部と前記弾性部とが接触したときに、前記弾性部の一部が前記突出部の径方向外側に重なることを特徴とする請求項１に記載のパチンコ機。
【請求項３】
前記突出部は、前記弾性部よりも径方向に長くなるように形成され、
前記突出部の前記弾性部と接触する部位には凹部が形成され、
前記突出部と前記弾性部とが接触したときに、前記弾性部が前記凹部に密接し、前記突出部の一部が前記弾性部の径方向外側に重なることを特徴とする請求項１又は２に記載のパチンコ機。
【請求項４】
前記弾性部には、前記導音部の周縁部が接触する溝部と、前記導音部の内周面に沿って延在する突部が形成され、
前記弾性部が前記導音部に組み付けられたときに、前記導音部の周縁部が前記溝部に接触するとともに、前記突部は前記導音部の内周面に接触し前記内周面に沿って延在していることを特徴とする請求項１乃至３のいずれか１項に記載のパチンコ機。
【発明の詳細な説明】
【技術分野】
【０００１】
本発明は、遊技盤を保持する内枠と、内枠に設けられ音声を出力する音声出力部と、内枠に対して開閉可能に設けられた前面扉と、前面扉が内枠に対して閉じられたときに前面扉の音声出力部と対向する位置に設けられ音声出力部から出力された音声を前面扉の外部に導く導音部と、を有する遊技機に関する。
【背景技術】
【０００２】
従来の遊技機の中には、遊技盤を保持する内枠の上方にスピーカを設け、内枠に対して開閉可能に設けられた前面扉の内側面にスピーカから出力された音声を外部に導く導音孔が形成されたものがある（下記特許文献１参照）。
【０００３】
この種の遊技機では、スピーカから出力された音声が導音孔によって前面扉の外部に導かれ、遊技者にとって音声が聞き易くなるように工夫されている。
【特許文献１】特開平１０−８５３９２号公報
【発明の開示】
【発明が解決しようとする課題】
【０００４】
ところで、上記従来の遊技機では、スピーカから音声が出力されると、スピーカの振動が前面扉に伝達されて、前面扉に振動音（ビビリ）が生じるため、音声の音質が低下するという問題がある。この問題は、スピーカの前方に前面扉が位置している遊技機の構成上、必ず生じる問題であり、いくら音質の優れた音声をスピーカから出力しても、遊技者は音質が低下した音声しか聞き取ることができないため、遊技者に不快感を与える原因にもなっている。
【０００５】
また、従来の遊技機のように、前面扉に導音孔が形成された構成では、前面扉の正面側（表面側）から不正部材（例えば、ピアノ線）を挿入して、遊技盤上の遊技領域の構成を変更させ、始動口に入球し易くなるようにするなどの不正行為が横行している。この不正行為は、前面扉に導音孔が形成されている構成では、常に懸念される問題である。
【０００６】
さらに、遊技機の業界では不正行為の撲滅が目標として掲げられており、不正行為を阻止できる遊技機が待ち望まれている。特に、本業界では、低コストで遊技機の大幅な設計変更を要せず、かつ遊技性能の低下を防止できる範囲で、不正行為を確実に阻止できる遊技機の開発が待たれている。
【０００７】
そこで、本発明は、このような問題を解決するためになされたものであり、低コストで遊技機の大幅な設計変更を要せず、かつ遊技性能の低下を防止できる範囲で、不正行為を確実に阻止できる遊技機を提供することを目的とする。
【課題を解決するための手段】
【０００８】
請求項１に記載の発明は、始動口や障害釘が配設される遊技領域が形成された遊技盤と、前記遊技盤を内側面に保持する内枠と、前記内枠の左上方側及び右上方側に設けられ、音声を出力する音声出力部と、前記遊技領域に対応して形成された開口部を有し、前記内枠に対して開閉可能に軸支された前面扉と、前記開口部に対応して、前記前面扉の裏面に取り付けられたガラス板と、前記前面扉の左上方側及び右上方側であって、前記前面扉が前記内枠に対して閉じられたときに前記音声出力部と対向する位置に設けられ、前記音声出力部から出力された音声を前記前面扉の外部に導く導音部と、を有するパチンコ機であって、前記導音部は、円同状の導音部本体と、前記導音部本体に形成された複数のスリットと、で構成され、前記音声出力部の周縁には、前記前面扉の側に突出する突出部が設けられ、前記前面扉の前記内枠の側に位置する内側面であって、前記導音部本体の周縁には、弾性部が接着され、前記突出部の前記弾性部と接触する部位には、環状の凸部が形成され、前記突出部が前記内枠に対して閉じられたときに、前記突出部と前記弾性部とが所定の圧力で接触して密接状態となると共に、前記弾性部と前記凸部との接触部においては他の接触部よりも圧力が高くなることを特徴とする。
【０００９】
請求項２に記載の発明は、請求項１に記載のパチンコ機において、前記弾性部は、前記突出部よりも径方向に長くなるように形成され、前記突出部と前記弾性部とが接触したときに、前記弾性部の一部が前記突出部の径方向外側に重なることを特徴とする。
【００１０】
請求項３に記載の発明は、請求項１又は２に記載のパチンコ機において、前記突出部は、前記弾性部よりも径方向に長くなるように形成され、前記突出部の前記弾性部と接触する部位には凹部が形成され、前記突出部と前記弾性部とが接触したときに、前記弾性部が前記凹部に密接し、前記突出部の一部が前記弾性部の径方向外側に重なることを特徴とする。
【００１１】
請求項４に記載の発明は、請求項１乃至３のいずれか１項に記載のパチンコ機において、前記弾性部には、前記導音部の周縁部が接触する溝部と、前記導音部の内周面に沿って延在する突部が形成され、前記弾性部が前記導音部に組み付けられたときに、前記導音部の周縁部が前記溝部に接触するとともに、前記突部は前記導音部の内周面に接触し前記内周面に沿って延在していることを特徴とする。
【発明の効果】
【００１４】
本発明によれば、前面扉が内枠に対して閉じられると、突出部と弾性部とが所定の圧力で接触する。このとき、突出部と弾性部とが密接状態となる。突出部が弾性部と密接しているため、音声出力部から音声が出力された場合には、音声出力部の振動は弾性部に伝達される。音声出力部の振動が弾性部に伝達されると、その振動は弾性部により減衰される。これにより、前面扉に振動音（ビビリ）が生じることがなく、前面扉の導音部から前面扉の外部に導かれた音声の音質が低下することを防止できる。この結果、遊技者に前面扉の振動音によって音質が低下しない音声を聞かせることができ、遊技者に不快感を与えてしまうことを防止できる。
【００１５】
また、突出部と弾性部とが密接しているため、前面扉の正面側から導音部にピアノ線などの不正部材を挿入した場合でも、弾性部と突出部との間から遊技盤に形成された遊技領域に不正部材を進入させ難くすることができる。この結果、不正行為を防止することができる。
【００１６】
さらに、突出部と弾性部とを密接させることにより、前面扉、突出部及び音声出力部などに寸法誤差が生じた場合でも、弾性部を弾性変形させることにより、弾性部にその寸法誤差を吸収させることができる。
【００１７】
本発明によれば、突出部の弾性部と接触する部位には凸部が設けられているため、突出部と弾性部とが密接すると、弾性部には凸部から大きな圧力が作用することになる。これにより、弾性部と凸部との間がより強固な密接状態となる。この結果、突出部と弾性部との間から遊技領域にピアノ線などの不正部材を進入させることが不可能になり、不正行為を確実に阻止することができる。
【００１８】
本発明によれば、弾性部は突出部よりも径方向に長くなるように形成されており、突出部と弾性部とが接触したときに、弾性部の一部が突出部の径方向外側に重なる状態となる。これにより、突出部と弾性部との間から遊技領域にピアノ線などの不正部材を進入させることが不可能になり、不正行為を一層確実に阻止することができる。
【００１９】
本発明によれば、突出部は弾性部よりも径方向に長くなるように形成され、突出部の弾性部と接触する部位には凹部が形成され、突出部と弾性部とが接触したときに、弾性部が凹部に密接し、突出部の一部が弾性部の径方向外側に重なる状態となる。これにより、突出部と弾性部との間から遊技領域にピアノ線などの不正部材を進入させることが不可能になり、不正行為を一層確実に阻止することができる。
【００２０】
本発明によれば、弾性部が導音部に組み付けられたときに、導音部の周縁部が溝部に接触するとともに、突部は導音部の内周面に接触し内周面に沿って延在している。これにより、弾性部と導音部との間に折返部が設けられるため、弾性部と導音部との間から不正部材を進入させ難くすることができ、ひいては遊技盤に形成された遊技領域に不正部材を到達させ難くすることができる。この結果、不正行為を確実に防止することができる。
【００２１】
本発明によれば、突出部が樹脂又は金属で構成され、弾性部がゴムで構成されているため、両者が密接するとゴムである弾性部が容易に弾性変形する。これにより、突出部と弾性部との密接状態がより強固になる。この結果、突出部と弾性部との間から遊技領域にピアノ線などの不正部材を進入させることが不可能になり、不正行為を一層確実に阻止することができる。
【００２２】
また、弾性部がゴムで構成されているため、音声出力部の振動を確実に減衰させることができる。これにより、音声出力部から出力された音声の音質が低下することを確実に防止することができる。
【００２３】
また、弾性部がゴムで構成されているため、弾性部を容易に弾性変形させることができる。これにより、前面扉、突出部及び音声出力部などに寸法誤差が生じた場合でも、その寸法誤差を弾性部に容易かつ確実に吸収させることができる。
【００２４】
さらに、弾性部がゴムで構成されており、前面扉が内枠に対して閉じられたときに弾性部が弾性変形されているため、前面扉には弾性部から所定の弾性力が作用している。これにより、前面扉を内枠に対して開けようとする場合に、前面扉を開け易くすることができる。
【発明を実施するための最良の形態】
【００２５】
次に、本発明の第１実施形態に係る遊技機について、図面を参照して説明する。なお、本実施形態では本発明を弾球遊技機の一例であるパチンコ機に適用した構成を説明するが、弾球遊技機に限られるものではなく、回胴式遊技機に対しても本発明を容易に適用することができる。
【００２６】
図１及び図２に示すように、第１実施形態に係る遊技機であるパチンコ機１０の前面部には、主として、外枠１２と、内枠１４と、前面枠１６と、上皿部１８と、下皿部２０と、施錠装置２２と、発射ハンドル２４などが設けられている。
【００２７】
外枠１２は、木製の板状体を略長方形の額縁状に組立て固着したものである。内枠１４は、全体がブラスチック製で、外枠１２に対して開閉可能に軸支されている。また、内枠１４の右端中央には施錠装置２２が設けられている。
【００２８】
前面枠１６は、本発明の前面扉の一具体例を示すもので、パチンコ機（遊技機）１０の前面部全体の約２／３のサイズを占め、内枠１４の左端に開閉可能となるように軸支されている。また、前面枠１６は、全体がプラスチック製であり、遊技盤６０（図９参照）を前方から視認するべく、遊技盤６０に形成された遊技領域６６（図９参照）の形状に対応して略円形に形成された開口部２６を有している。また、前面枠１６の裏面には、ガラス板２８がガラス枠（図示省略）によって取り付けられている。そして、遊技者を基準とすれば、遊技盤６０に形成された遊技領域６６はガラス板２８の後方に位置するようになっている。なお、本実施形態では、ガラス板２８を前面枠１６の裏面側に取り付けた構成を例にとり説明したが、例えば、前面枠１６の前面側にガラス枠により取り付けてもよい。また、ガラス板２８に替えて、透明な樹脂板を前面枠１６に取り付けることができる。
【００２９】
また、図１乃至図３に示すように、前面枠１６の左上方側及び右上方側には、後述のメインスピーカ４８から出力された音声を前面枠１６の外部に導くための導音部３０がそれぞれ設けられている。各導音部３０は、円筒状の導音部本体３２と、導音部本体３２に形成された複数のスリット３４と、で構成されている。また、図３及び図４に示すように、前面枠１６の内側面上であって各導音部本体３２の周縁には、弾性部３６が接着剤などにより接着されている。各弾性部３６は、円環状に形成されており、ゴムで構成されている。
【００３０】
ここで、ゴムとしては、天然ゴム（ＮＲゴム）、スチレンゴム（ＳＢＲ）、ブチルゴム（ＩＩＲ）、ニトリルゴム（ＮＢＲ）、クロロプレンゴム（ＣＲ）、エチレンプロピレンゴム（ＥＰ／ＥＰＤＭ／ＥＰＴ）、ハイパロン（ＣＳＭ）、アクリルゴム（ＡＣＭ）、ウレタンゴム（Ｕ／ＰＵＲ）、シリコンゴム（Ｓｉ）、フッ素ゴム（ＦＫＭ／ＦＰＭ）などが好適である。
【００３１】
なお、弾性部３６は、ゴムで構成されることが好ましいが、ゴムに限られるものではなく、弾性質のものであれば他の材質でもよい。
【００３２】
また、図１及び図２に示すように、前面枠１６の下方側には、上皿部１８が設けられている。この上皿部１８には、演出ボタン３８と、球貸操作部４０がそれぞれ設けられている。
【００３３】
また、図１及び図２に示すように、上皿部１８の下方側には、下皿部２０が設けられている。また、下皿部２０の右下方側には、遊技球を発射させるための発射ハンドル２４が設けられている。この発射ハンドル２４には、発射レバー４２と、発射停止ボタン４４がそれぞれ設けられている。
【００３４】
また、図１及び図２に示すように、下皿部２０の左右下方側には、所定の効果音を出力するための各サブスピーカ４６がそれぞれ設けられている。
【００３５】
また、内枠１４には、遊技領域６６（図９参照）の形状に合致した開口部（図示省略）が形成されている。この内枠１４の内側面には、遊技盤６０（図９参照）が取り付けられる。これにより、遊技者は、遊技盤６０の遊技領域６６を内枠１４の開口部及び前面枠１６の開口部２６を通して視認することができる。
【００３６】
また、図５乃至図７に示すように、内枠１４の外側面であって左上方側及び右上方側には、所定の音声を出力する各メインスピーカ４８がそれぞれ取り付けられている。これらの各メインスピーカ４８は、各導音部３０と対向する位置に配置されている。また、各メインスピーカ４８の表面側には、円板状の出力部５０が設けられている。また、各出力部５０の周縁には、前面枠１６側に突出するフランジ部５２がそれぞれ設けられている。このフランジ部５２は、弾性部３６と面接する円環状のフランジ部本体５４と、フランジ部本体５４に一体形成されメインスピーカ４８を内枠１４に固定される固定部５６と、で構成されている。また、各フランジ部５２は、樹脂又は金属で構成されている。
【００３７】
ここで、図４及び図５に示すように、各フランジ部５２は、各弾性部３６と対向する位置に配置されている。具体的には、前面枠１６が内枠１４に対して閉じたときに、フランジ部本体５４と弾性部３６とが所定の圧力で接触し、メインスピーカ４８と導音部３０との間が密接状態で連通するように設定されている。
【００３８】
また、図８に示すように、各フランジ部５２の各フランジ部本体５４と各弾性部３６はそれぞれ同じ大きさになるように設定されており、前面枠１６が内枠１４に対して閉じたときに、各フランジ部本体５４と各弾性部３６が同心上に位置し、かつ各フランジ部本体５４の周縁と各弾性部３６の周縁が合致するように設定されている。なお、メインスピーカ４８は、本発明の音声出力部の一具体例を示しており、フランジ部本体５４は、本発明の突出部の一具体例を示している。
【００３９】
次に、遊技盤６０の表面構造について、図９を参照して説明する。
【００４０】
図９に示すように、遊技盤６０は、内枠１４に保持されるとともに、裏機構盤（図示省略）よりその背面側が覆わされている。遊技盤６０の表面には、外レール６２と内レール６４とにより略円形状の遊技領域６６が形成されている。遊技領域６６の内部には、主として、中央装置６８と、始動口７０と、ワープ入球口７２と、多数の障害釘７４と、風車７６等と、がそれぞれ配設されている。
【００４１】
中央装置６８は、遊技領域６６の略中央部に配置されており、演出表示装置７８と、センター役物８０と、ランプ装置８２と、を備えている。
【００４２】
演出表示装置７８は、略長方形状の映像画面を有している。この映像画面上には、１又は複数の特別図柄を所定の方向に次々と変動させながら表示した後、停止表示する特別図柄表示領域が形成されている。すなわち、左特別図柄を表示する左特別図柄表示領域、中央特別図柄を表示する中央特別図柄表示領域、及び右特別図柄を表示する右特別図柄表示領域が、略横一列となる配置方向に沿って並んで形成されている。各特別図柄表示領域は、これらの表示領域の配置方向と略直交する方向（上下方向）に図柄変動方向が設定されており、その方向に複数の特別図柄が順次表示されていく。
【００４３】
演出表示装置７８は、遊技球が始動口７０に入球することにより、その映像画面の表示領域に表示される各特別図柄をそれぞれ変動させて停止表示させるものである。そして、例えば、図柄が「７、７、７」の３桁同一図柄で揃って停止表示（確定表示）すると、後述の変動入賞装置８６に配設された後述の大入賞装置８８の大入賞口９０が開放される。本実施形態のパチンコ機１０は、大入賞口９０に遊技球が入球すると、各特別図柄がそれぞれ変動され、図柄が３桁同一図柄で揃うことにより、「大当り」という特定価値を付与するものである。
【００４４】
センター役物８０は、演出表示装置７８の前面周辺部に突設して装着されている。センター役物８０は、可動する一対の翼片部８４を有している。この翼片部８４の可動によりワープ入球口７２の開口面積が変化する。
【００４５】
また、遊技領域の左下方側には、本図柄を表示制御する７セグ表示基板９２が配置されている。この７セグ表示基板９２は、特別図柄の本図柄を表示する７セグメント表示器９４と、４個の普通図柄保留表示ＬＥＤ９６と、４個の特別図柄保留表示ＬＥＤ９８と、普通図柄の本図柄を表示する２個の状態表示ＬＥＤ１００と、を有している。７セグメント表示器９４は、１〜９の間の数字を変動表示させるもので、後述の普通図柄作動ゲート１０２を遊技球が通過することにより変動して、所定の時間経過後に１種類の数字が停止表示される。そして、所定の数字で停止表示すると、始動口７０が所定時間だけ開放される。
【００４６】
また、演出表示装置７８の左側には、普通図柄作動ゲート１０２が配置されている。遊技球が普通図柄作動ゲート１０２を通過すると、７セグ表示基板９２の状態表示ＬＥＤ１００が変動表示される。
【００４７】
各普通図柄保留表示ＬＥＤ９６及び各特別図柄保留表示ＬＥＤ９８は、４個の丸形の赤色ＬＥＤで構成されており、７セグメント表示器９４の左右両側に近接して配置されている。これは、普通図柄作動ゲート１０２を通過した遊技球の数を４個まで普通図柄の保留とし、通過ごとに順次点灯しシフト表示するものである。また、始動口７０に入球した遊技球の数も４個まで特別図柄の保留とし、入球ごとに順次点灯しシフト表示するものである。７セグメント表示器９４の変動表示が開始するたびに、未始動回数が消化され、１個の特別図柄保留表示ＬＥＤ９８は消灯される。また、普通図柄も状態表示ＬＥＤ９６の変動表示が開始するたびに、未始動回数が消化され、１個の普通図柄保留表示ＬＥＤ９６が消灯される。
【００４８】
始動口７０は、演出表示装置７８の下方に離れて配置されるもので、いわゆるチューリップ式で一対の翼片部１０４が開閉するように形成されている。
【００４９】
変動入賞装置８６は、上記始動口７０の下方に配置されており、基板１０６と、大入賞装置８８と、を備えている。ここで、大入賞装置８８は、遊技領域６６の下部略中央に配置されており、帯状に開口された大入賞口９０と、この大入賞口９０を開放・閉塞する開閉板１０８と、を備えている。
【００５０】
また、中央装置６８の左側下方部には、風車７６が配置されている。さらに、遊技領域６６の左側下方部及び右側下方には、一対のサイドランプ１１０がそれぞれ配置されている。
【００５１】
また、変動入賞装置８６の下方にはアウト口１１２が設けられており、このアウト口１１２の下部にはバック球防止部材１１４が設けられている。このバック球防止部材１１４は、遊技領域６６に到達せず戻ってきた遊技球が再び発射位置に戻ることを防止している。また、内レール６４の先端部には、ファール球防止部材１１６が取り付けられている。
【００５２】
次に、第１実施形態の遊技機の作用について説明する。
【００５３】
図８に示すように、前面枠１６が内枠１４に対して閉じられると、フランジ部本体５４と弾性部３６とが所定の圧力で接触する。このとき、弾性部３６はフランジ部本体５４からの所定の圧力により弾性変形しており、弾性部３６が弾性変形した状態でフランジ部本体５４と強固に密接している。
【００５４】
このように、フランジ部本体５４と弾性部３６とが強固に密接しているため、メインスピーカ４８から音声が出力された場合には、メインスピーカ４８の振動が弾性部３６に伝達される。メインスピーカ４８の振動が弾性部３６に伝達されると、その振動は弾性部３６により減衰される。これにより、前面枠１６に振動音（ビビリ）が生じることがなく、前面枠１６の導音部３０から前面枠１６の外部に導かれた音声の音質が低下することを防止できる。この結果、遊技者に前面枠１６の振動音によって音質が低下しない音声を聞かせることができ、遊技者に不快感を与えてしまうことを防止できる。
【００５５】
特に、弾性部３６がゴムで構成されているため、各メインスピーカ４８の振動を確実に減衰させることができる。これにより、各メインスピーカ４８から出力された音声の音質が低下することを確実に防止することができる。
【００５６】
また、フランジ部本体５４と弾性部３６とが強固に密接しているため、前面枠１６の正面側から導音部３０にピアノ線などの不正部材を挿入した場合でも、弾性部３６とフランジ部本体５４との間から遊技盤６０（図９参照）に形成された遊技領域６６（図９参照）に不正部材を進入させ難くすることができる。この結果、不正行為を防止することができる。
【００５７】
特に、各フランジ部５２が樹脂又は金属で構成され、弾性部３６がゴムで構成されているため、両者が密接するとゴムである弾性部３６が弾性変形する。これにより、フランジ部本体５４と弾性部３６との密接状態がより強固になる。この結果、フランジ部本体５４と弾性部３６との間から遊技領域６６にピアノ線などの不正部材を進入させることが不可能になり、不正行為を一層確実に阻止することができる。
【００５８】
さらに、弾性部３６を弾性変形させることにより、前面枠１６、フランジ部５２及びメインスピーカ４８などに寸法誤差が生じた場合でも、弾性部３６にその寸法誤差を吸収させることができる。
【００５９】
特に、弾性部３６がゴムで構成されているため、弾性部３６を容易に弾性変形させることができる。これにより、前面枠１６、フランジ部５２及びメインスピーカ４８などに寸法誤差が生じた場合でも、その寸法誤差を弾性部３６に容易かつ確実に吸収させることができる。また、弾性部３６がゴムで構成されており、前面枠１６が内枠１４に対して閉じられたときにこの弾性部３６が弾性変形されているため、前面枠１６には弾性部３６から所定の弾性力が作用している。これにより、前面枠１６を内枠１４に対して開けようとする場合に、前面枠１６を開け易くすることができる。
【００６０】
次に、本発明の第１実施形態に係る遊技機の第１変形例について説明する。
なお、第１実施形態に係る遊技機と重複する構成については、同符号を付し、その説明を適宜省略する。
【００６１】
図１０に示すように、本変形例では、各弾性部１２０の径方向寸法が各フランジ部５２の各フランジ部本体５４の径方向寸法よりも大きくなるように設定されている。これにより、前面枠１６が内枠１４に対して閉じられると、弾性部１２０とフランジ部本体５４とが同心上に位置するとともに、弾性部１２０はフランジ部本体５４からの圧力により弾性変形する。弾性部１２０が弾性変形すると、フランジ部本体５４が弾性部１２０に食い込むとともに、弾性部１２０の径方向外側部がフランジ部本体５４の径方向外側に位置するようになる。
【００６２】
第１変形例の遊技機によれば、前面枠１６が内枠１４に対して閉じられると、弾性部１２０の径方向外側部がフランジ部本体５４の径方向外側に位置するため、たとえフランジ部本体５４と弾性部１２０との間にピアノ線などの不正部材を径方向内側から進入させることができた場合でも、弾性部１２０の径方向外側部が不正部材の進行を阻止することになる。この結果、不正部材を弾性部１２０とフランジ部本体５４との間からその径方向外側に進行させることができなくなるため、遊技盤６０の遊技領域６６に不正部材を進入させることが不可能になり、不正行為を一層確実に阻止することができる。
【００６３】
次に、本発明の第１実施形態に係る遊技機の第２変形例について説明する。
なお、第１実施形態に係る遊技機と重複する構成については、同符号を付し、その説明を適宜省略する。
【００６４】
図１１に示すように、本変形例では、弾性部３６の径方向寸法がフランジ部１３０のフランジ部本体１３２の径方向寸法よりも大きくなるように設定されている。また、各フランジ部１３０の各フランジ部本体１３２の前面には環状の凸部１３４が形成されている。なお、凸部１３４は、各フランジ部本体１３２の前面の径方向の異なる位置に複数形成されていてもよい。これにより、前面枠１６が内枠１４に対して閉じられると、弾性部３６は凸部１３４からの強い圧力により弾性変形し、凸部１３４が弾性部３６に食い込むことになる。このとき、凸部１３４と弾性部３６との接触部において圧力が極めて高くなり、弾性部３６とフランジ部本体１３２とをより強固に密接させることができる。
【００６５】
第２変形例の遊技機によれば、フランジ部本体１３２の前面には環状の凸部１３４が設けられているため、フランジ部本体１３２と弾性部３６との間に作用する圧力がより一層高くなる。この結果、たとえフランジ部本体１３２と弾性部３６との間にピアノ線などの不正部材を径方向内側から進入させることができた場合でも、この凸部１３４が不正部材の進行を阻止することになる。この結果、不正部材を弾性部３６とフランジ部本体１３２との間からその径方向外側に進行させることができなくなるため、遊技盤６０の遊技領域６６に不正部材を進入させることが不可能になり、不正行為を一層確実に阻止することができる。
【００６６】
また、弾性部３６とフランジ部本体１３２とが強固に密接した状態になるので、メインスピーカ４８から出力される音声が弾性部３６とフランジ部本体１３２との間から外部に漏れることを防止できる。これにより、メインスピーカ４８から出力される音声は、音質低下を招くことなく導音部３０のスリット３４に到達するので、スリット３４から遊技者に向けて放出される音声の音質を良好にすることができる。
【００６７】
次に、本発明の第１実施形態に係る遊技機の第３変形例について説明する。
なお、第１実施形態に係る遊技機と重複する構成については、同符号を付し、その説明を適宜省略する。
【００６８】
図１２に示すように、本変形例では、フランジ部１４０のフランジ部本体１４２の径方向寸法が弾性部３６の径方向寸法よりも径方向に長くなるように設定され、フランジ部本体１４２の弾性部３６と接触する部位には凹部１４４が形成されている。このように、フランジ部本体１４２が断面Ｌ字状に形成されているため、前面枠１６が内枠１４に対して閉じられると、弾性部３６がフランジ部本体１４２の凹部１４４に密接するとともに弾性部３６が弾性変形し、フランジ部本体１４２の径方向外側部が弾性部３６の径方向外側に重なる状態となる。
【００６９】
第３変形例の遊技機によれば、前面枠１６が内枠１４に対して閉じられると、フランジ部本体１４２の径方向外側部が弾性部３６の径方向外側に重なるため、たとえフランジ部本体１４２と弾性部３６との間にピアノ線などの不正部材を径方向内側から進入させることができた場合でも、フランジ部本体１４２の径方向外側部が不正部材の進行を阻止することになる。この結果、不正部材を弾性部３６とフランジ部本体１４２との間からその径方向外側に進行させることができなくなるため、遊技盤６０の遊技領域６６に不正部材を進入させることが不可能になり、不正行為を一層確実に阻止することができる。
【００７０】
次に、本発明の第１実施形態に係る遊技機の第４変形例について説明する。
なお、第１実施形態に係る遊技機と重複する構成については、同符号を付し、その説明を適宜省略する。
【００７１】
図１３に示すように、本変形例では、弾性部１５０の径方向寸法がフランジ部５２のフランジ部本体５４の径方向寸法よりも径方向に長くなるように設定され、弾性部１５０のフランジ部本体５４と接触する部位には凹部１５２が形成されている。このように、弾性部１５０が断面Ｌ字状に形成されているため、前面枠１６が内枠１４に対して閉じられると、フランジ部本体５４が弾性部１５０の凹部１５２に密接するとともに弾性部１５０が弾性変形し、弾性部１５０の径方向外側部がフランジ部本体５４の径方向外側に重なる状態となる。
【００７２】
第４変形例の遊技機によれば、前面枠１６が内枠１４に対して閉じられると、弾性部１５０の径方向外側部がフランジ部本体５４の径方向外側に重なるため、たとえフランジ部本体５４と弾性部１５０との間にピアノ線などの不正部材を径方向内側から進入させることができた場合でも、弾性部１５０の径方向外側部が不正部材の進行を阻止することになる。この結果、不正部材を弾性部１５０とフランジ部本体５４との間からその径方向外側に進行させることができなくなるため、遊技盤６０の遊技領域６６に不正部材を進入させることが不可能になり、不正行為を一層確実に阻止することができる。
【００７３】
なお、前面枠が内枠に対して閉じられたときに、前面枠の内側面の左上方側及び右上方側に取り付けられた各弾性部とこれに対向する各フランジ部本体との間に作用する圧力がそれぞれ一定となるように、各弾性部の厚み寸法あるいは各フランジ部本体の厚み寸法を適宜調整することが好ましい。
【００７４】
次に、本発明の第１実施形態に係る遊技機の第５変形例について説明する。
なお、第１実施形態に係る遊技機と重複する構成については、同符号を付し、その説明を適宜省略する。
【００７５】
図１４に示すように、本変形例では、弾性部１６０の周縁に溝部１６２が形成されている。また、弾性部１６０の導音部本体３２側には溝部１６２の側壁を構成する突部１６４が形成されている。このように、弾性部１６０は、断面Ｌ字形状となるように構成されている。また、導音部本体３２の周縁に弾性部１６０が組み付けられると、突部１６４が導音部本体３２の内周面に沿って延在する。これにより、導音部本体３２と弾性部１６０との間には、折返部が形成される。
【００７６】
第５変形例の遊技機によれば、導音部本体３２の周縁に弾性部１６０が組み付けられると、突部１６４が導音部本体３２の内周面と接触するとともにその内周面に沿って延在するため、導音部３０のスリット３４から導音部本体３２に針金やピアノ線などの不正部材を進入させた場合でも、不正部材を突部１６４と導音部本体３２の内周面との間から遊技領域６６に進入させ難くすることができる。これにより、不正行為を一層確実に阻止することができる。
【００７７】
特に、突部１６４の径方向に沿う寸法を調整して突部１６４が導音部本体３２の内周面に圧入できるように設定することにより、突部１６４と導音部本体３２の内周面との間に所定の圧力を作用させることができる。これにより、突部１６４と導音部本体３２の内周面とが強固に密接するため、不正部材の進入を確実に防止することができる。
【００７８】
なお、図１１と図１２の構成を適宜組み合わせても良い。すなわち、図１２のフランジ部本体１４２の凹部１４４に凸部を形成して、弾性部３６が凹部１４４に密接したときに弾性部３６に凸部から強い圧力を作用させるようにしてもよい。
【００７９】
また、図１１と図１３の構成も適宜組み合わせてもよい。すなわち、図１３のフランジ部本体５４には図１１のフランジ部本体１３２に形成された凸部１３４を形成し、図１３の弾性部１５０がフランジ部本体５４に密接したときに弾性部１５０に凸部から強い圧力を作用させるようにしてもよい。
【００８０】
また、図１１と図１４の構成も適宜組み合わせてもよい。すなわち、図１１の弾性部３６には図１４の弾性部１６０に形成された溝部１６２と突部１６４をそれぞれ形成し、導音部３０に弾性部３６を組み付けたときに導音部本体３２と弾性部３６との間に折返部を設けるようにしてもよい。
【００８１】
また、図１２と図１４の構成も適宜組み合わせてもよい。すなわち、図１２の弾性部３６には図１４の弾性部１６０に形成された溝部１６２と突部１６４をそれぞれ形成し、導音部３０に弾性部３６を組み付けたときに導音部本体３２と弾性部３６との間に折返部を設けるようにしてもよい。
【００８２】
また、図１３と図１４の構成も適宜組み合わせてもよい。すなわち、図１３の弾性部１５０には図１４の弾性部１６０に形成された溝部１６２と突部１６４をそれぞれ形成し、導音部３０に弾性部３６を組み付けたときに導音部本体３２と弾性部１５０との間に折返部を設けるようにしてもよい。
【図面の簡単な説明】
【００８３】
【図１】本発明の第１実施形態に係る遊技機の正面図である。
【図２】本発明の第１実施形態に係る遊技機の側面図である。
【図３】本発明の第１実施形態に係る遊技機の前面扉を裏側からみた斜視図である。
【図４】本発明の第１実施形態に係る遊技機の前面扉に設けられた弾性部の拡大図である。
【図５】本発明の第１実施形態に係る遊技機の内枠に設けられたスピーカ及び突出部の拡大図である。
【図６】本発明の第１実施形態に係る遊技機の内枠に設けられたスピーカ及び突出部の側面図である。
【図７】本発明の第１実施形態に係る遊技機の内枠に設けられたスピーカ及び突出部の正面図である。
【図８】本発明の第１実施形態に係る遊技機の前面扉が内枠に対して閉じられたときに弾性部と突出部との密着状態を示す断面図である。
【図９】本発明の第１実施形態に係る遊技機に取り付けられる遊技盤の正面図である。
【図１０】本発明の第１実施形態に係る遊技機の第１変形例の前面扉が内枠に対して閉じられたときに弾性部と突出部との密着状態を示す断面図である。
【図１１】本発明の第１実施形態に係る遊技機の第２変形例の前面扉が内枠に対して閉じられたときに弾性部と突出部との密着状態を示す断面図である。
【図１２】本発明の第１実施形態に係る遊技機の第３変形例の前面扉が内枠に対して閉じられたときに弾性部と突出部との密着状態を示す断面図である。
【図１３】本発明の第１実施形態に係る遊技機の第４変形例の前面扉が内枠に対して閉じられたときに弾性部と突出部との密着状態を示す断面図である。
【図１４】本発明の第１実施形態に係る遊技機の第５変形例の前面扉が内枠に対して閉じられたときに弾性部と突出部との密着状態を示す断面図である。
【符号の説明】
【００８４】
１０      パチンコ機（遊技機）
１４      内枠
１６      前面枠（前面扉）
３０      導音部
３６      弾性部
４８      メインスピーカ（音声出力部）
５４      フランジ部本体（突出部）
１２０    弾性部
１３２    フランジ部本体（突出部）
１３４    凸部
１４２    フランジ部本体（突出部）
１４４    凹部
１５０    弾性部
１６０    弾性部
１６２    溝部
１６４    突部
【図１】
0004724847.tif 000002
【図２】
0004724847.tif 000003
【図３】
0004724847.tif 000004
【図４】
0004724847.tif 000005
【図５】
0004724847.tif 000006
【図６】
0004724847.tif 000007
【図７】
0004724847.tif 000008
【図８】
0004724847.tif 000009
【図９】
0004724847.tif 000010
【図１０】
0004724847.tif 000011
【図１１】
0004724847.tif 000012
【図１２】
0004724847.tif 000013
【図１３】
0004724847.tif 000014
【図１４】
0004724847.tif 000015